(57)【要約】【課題】保管中や高温トナー定着の複写機やレーザプリンター等で使用したとき、シートのカール、波打ち、ラベルのへたり等を防止できるようにした貼着用ラベルシートを提供する。また、シートが往復動して反転する高温トナー定着の複写機やレーザプリンター等で使用したとき、貼着ラベルが剥離しないようにした貼着用ラベルシートを提供する。【解決手段】表面に静電防止剤と微粒粉２１を含有するマット剤層２０を形成し、裏面に粘着剤層３０を形成したポリエステル系フィルム製ラベル１０と、表面にクレー層５０をコーティングし、その上にシリコーン剥離剤層６０を形成し、裏面にクレー層７０をコーティングした剥離紙４０とからなるもの。【選択図】    図１
2004191777.tif 000002
【特許請求の範囲】
【請求項１】
表面に静電防止剤と微粒粉２１を含有するマット剤層２０を形成し、裏面に粘着剤層３０を形成したポリエステル系フィルム製ラベル１０と、表面にクレー層５０をコーティングし、その上にシリコーン剥離剤層６０を形成し、裏面にクレー層７０をコーティングした剥離紙４０とからなることを特徴とする貼着用ラベルシート。
【請求項２】
裏面に粘着剤層３０Ｂを形成した紙製ラベル１０Ｂと、表面にクレー層５０Ｂをコーティングし、その上にシリコーン剥離剤層６０Ｂを形成し、裏面にクレー層７０Ｂをコーティングした剥離紙４０Ｂとからなることを特徴とする貼着用ラベルシート。
【発明の詳細な説明】
【０００１】
【発明の属する技術分野】
本発明は、裏面に粘着剤を塗布したラベルと、粘着剤剥離紙を重合した貼着用ラベルシートに関する。
【０００２】
【従来の技術】
従来の貼着用ラベルシートには、裏面に粘着剤層を形成したポリエステル系フィルム製ラベル又は紙製ラベルと、表面にポリエチレン等の熱可塑性樹脂をラミネート又はコーティングして、その上にシリコーン剥離剤層を形成した剥離紙とを重合したシートがあったが、レーザプリンターなどで使用すると、トナの定着温度が１５０〜２００℃と高いため、シリコーン剥離剤にアンダコートしたポリエチレン等の熱可塑性フィルムが熱変形し、シートがカールしたり、波打ったり、ラベルが剥離紙側にへたる欠点があるほか、小型レーザプリンター等ではシートがプリンター内で往復動して反転するため、シートのラベルが剥離紙から剥離する欠点があった。
そこで、本発明者は、剥離紙表面のシリコーン剥離剤のアンダコート物質を熱可塑性樹脂から耐熱性クレーに変えると共に、剥離紙裏面に耐熱性クレーをコーティングすれば、シート保管中やコピー後のシートのカールや波打ち、またはラベルのへたりが防止でき、また、シート全体の厚みをある程度制限すれば、高温トナ定着の複写機やレーザプリンター等でシートが往復動して反転しても、ラベルが剥離するのを防止できることを見出し、本発明を完成した。
【０００３】
【発明が解決しようとする課題】
本発明は、保管中や高温トナー定着の複写機やレーザプリンター等で使用したとき、シートのカール、波打ち、ラベルのへたりなどを防止できるようにした貼着用ラベルシートを提供するものである。
また、本発明は、シートが往復動して反転する高温トナー定着の複写機やレーザプリンター等で使用したとき、貼着ラベルが剥離しないようにした貼着用ラベルシートを提供するものである。
【０００４】
【課題を解決するための手段】
本発明貼着用ラベルシートは、上記課題を達成するため、図示するように、表面に静電防止剤と微粒粉２１を含有するマット剤層２０を形成し、裏面に粘着剤層３０を形成したポリエステル系フィルム製ラベル１０と、表面にクレー層５０をコーティングし、その上にシリコーン剥離剤層６０を形成し、裏面にクレー層７０をコーティングした剥離紙４０とからなるものである。
また、本発明貼着用ラベルシートは、上記課題を達成するため、図示するように、裏面に粘着剤層３０Ｂを形成した紙製ラベル１０Ｂと、表面にクレー層５０Ｂをコーティングし、その上にシリコーン剥離剤層６０Ｂを形成し、裏面にクレー層７０Ｂをコーティングした剥離紙４０Ｂとからなるものである。
本発明において、クレーは、カオリナイト・ハロサイト等のカオリン鉱物を主成分とするカオリン、ろう石、蛙目粘土やタルクを主成分とする滑石、パイロフイライトを主成分とするろう石などから精製され、耐熱性が大きい。
クレーは、剥離紙の両面にコーティングされるが、その厚みは通常、それぞれ５ミクロン乃至１５ミクロンが好ましい。厚み５ミクロン以下では、剥離紙の腰が弱くなり、ラベルが切目から剥離紙側に折れてへたりやすく、複写機又はレーザプリンター等をシートが通過しにくくなる。また、厚み１５ミクロン以上では、シートが往復動して反転するのが困難になる。
また、本発明において、ポリエステル系フィルムは、通常、厚み３８ミクロン乃至７５ミクロンまでのものが使用される。
ラベル紙は、通常、米坪６４ｇ／ｍ２ 〜１０４．７ｇ／ｍ２ の上質紙、コート紙などが使用される。
剥離紙は、通常、米坪８１．４ｇ／ｍ２ 〜１２７．９ｇ／ｍ２ の上質紙が使用される。
マット剤は、シリカ、合成樹脂等の微粒粉が含まれる公知のものである
シリコーン剥離剤層は、通常、３ミクロン乃至５ミクロンの厚みに塗布される。
シート全体の厚みは、シートが反転して往復動する１５０℃以上の高温トナー定着の高速複写機やレーザプリンター等に使用しても、ラベルが剥離紙から剥離する恐れがない、２５０ミクロン以下が好ましい。
【０００５】
【発明の実施の形態１】
本発明の実施の形態１が図１に示されている。
本発明の貼着用ラベルシートは、ポリエステル系ラベル１０と剥離紙４０とからなっている。
ポリエステル系ラベル１０は、表面に静電気防止剤（図示しない）と、平均粒度０．４ミクロン以下のシリカ微粒粉２１とを含有する厚み７ミクロンのマット剤層２０を形成し、裏面に厚み２１ミクロンのアクリル樹脂系の粘着剤層３０を形成した厚み５０ミクロンのポリエステル系フィルムで、全体は厚み７８ミクロン、重さ６５ｇ／ｍ２ である。
剥離紙４０は、表面に厚み１０ミクロンのクレーのコーティング層５０を塗布し、その上に厚み５ミクロンのシリコーン剥離剤のコーティング層６０を塗布し、裏面に厚み１０ミクロンのクレーのコーティング層を塗布した厚み約７６ミクロンの上質紙４０で、全体は厚み１０１ミクロン、重さ９５ｇ／ｍ２ である。
本発明の貼着用ラベルシートは、ラベル１０と剥離紙４０とを合わせた厚み１７９ミクロンで、剥離紙４０は、ラベル１０より３０ｇ／ｍ２ 重く形成されている。
従って、剥離紙４０には両面にクレーがコーティングされているので、保管中、カールや波打ちは生じにくく、また、シート全体の厚みが１７９ミクロンで、シートが反転して往復動する高速高温の複写機やレーザプリンター等で使用しても、ラベル１０の剥離はなく、また、剥離紙４０には熱可塑性物質が使用されていないので、トナーが高温定着されてもカールや波打ち現象は生じない。更に、剥離紙４０は、両面にクレー層５０、７０を設けると共に、粘着剤３０付きのラベル１０より重く形成されているので、トナーの高温定着の際、ラベル１０が剥離紙４０側にへたり込む現象が生じない。
さらに、剥離紙裏面に静電気防止剤が塗布されていないが、複写機又は印刷機を高速走行させても、各シートは重送されることがない。
【０００６】
【発明の実施の形態２】
本発明の実施の形態２が図２に示されている。
本発明の貼着用ラベルシートは、ラベル紙１０Ｂと剥離紙４０Ｂとからなっている。
ラベル紙１０Ｂは、裏面に厚み２１ミクロンのアクリル樹脂系の粘着剤層３０Ｂを形成した厚み約５０ミクロンの上質紙で、全体は厚み７１ミクロン、重さ６０ｇ／ｍ２ である。
剥離紙４０Ｂは、表面に厚み１０ミクロンのクレーのコーティング層５０Ｂを塗布し、その上に厚み３ミクロンのシリコーン剥離剤のコーティング層６０Ｂを塗布し、裏面に厚み１０ミクロンのクレー層７０Ｂをコーティングした厚み約７６ミクロンの上質紙４０Ｂで、全体は厚み９９ミクロン、重さ９５ｇ／ｍ２ である。
本発明の貼着用ラベルシートは、ラベル１０Ｂと剥離紙４０Ｂとを合わせた厚み１７０ミクロンで、剥離紙４０Ｂは、ラベル１０Ｂより３５ｇ／ｍ２ 重く形成されている。
従って、剥離紙４０Ｂの両面にクレーがコーティングされているので、保管中、カールや波打ちは生じにくく、また、シート全体の厚みが１７０ミクロンで、シートが反転して往復動する高速高温の複写機やレーザプリンター等で使用しても、ラベル１０Ｂの剥離はなく、また、剥離紙４０Ｂには熱可塑性物質が使用されていないので、トナーが高温定着されてもカールや波打ち現象は生じない。更に、剥離紙４０Ｂは、両面にクレー層５０Ｂ、７０Ｂが塗布されると共に、粘着剤３０Ｂ付きのラベル１０Ｂより重く形成されているので、トナーの高温定着の際、ラベル１０Ｂが剥離紙４０Ｂ側にへたり込む現象が生じない。
さらに、剥離紙裏面に静電気防止剤が塗布されていないが、複写機又は印刷機を高速走行させても、各シートは重送されることがない。
【０００７】
【発明の効果】
本発明によれば、保管中や高速高温定着の複写機やレーザプリンター等で使用したときシートのカール、波打ち、ラベルのへたりや剥離等が生ずることがない。また、反転式複写機やプリンタで使用してもラベルが剥離紙から剥離することがない。
さらに、複写機や印刷機の走行面となる剥離紙裏面に静電気防止剤を塗布されていなくても、高速走行時に重送されることがない。
加うるに、シートの製造が従来より安価かつ簡単にできるので、多量に消費される粘着剤付きラベルに対応した本発明の実用的価値は極めて大きい。
なお、本発明シートの剥離紙は無公害の上、再生可能に処理できる。
【図面の簡単な説明】
【図１】本発明の実施の形態を示す拡大断面説明図である。
【図２】本発明の別の実施の形態を示す拡大断面説明図である。
【符号の説明】
１０、１０Ｂ                  ラベル
２０                          マット剤層
２１                          微粒粉
３０、３０Ｂ                  粘着剤層
４０、４０Ｂ                  剥離紙
５０、５０Ｂ                  クレー層
６０、６０Ｂ                  シリコーン剥離剤層
７０、７０Ｂ                  クレー層
【図１】
2004191777.tif 000003
【図２】
2004191777.tif 000004